(57)【要約】【課題】車内等の任意の場所に脱着可能に取り付けて使用できるティッシュカバーを提供する。【解決手段】ティッシュカバー１は、ティッシュボックスを収容する本体２と、所望の場所に固定される固定片３を備えるとともに、本体２と固定片３のそれぞれに、互いに対となる面ファスナを備えて、本体２と固定片３が互いに結合・分離自在に構成されている。固定片３は、固定対象物と当接する面に粘着材を備えて、粘着材によって、所望の場所に固定される。粘着材は、両面粘着テープであってもよい。【選択図】図１
0003172213.tif 000002
【実用新案登録請求の範囲】
【請求項１】
ティッシュボックスを収容する本体と、所望の場所に固定される固定片を備えるとともに、
前記本体と前記固定片のそれぞれに、互いに対となる面ファスナを備えて、前記本体と前記固定片が互いに結合・分離自在に構成されているティッシュカバー。
【請求項２】
前記固定片は、固定対象物と当接する面に粘着材を備える
ことを特徴とする請求項１に記載のティッシュカバー。
【請求項３】
前記粘着材は、両面粘着テープである
ことを特徴とする請求項２に記載のティッシュカバー。
【考案の詳細な説明】
【技術分野】
【０００１】
本考案は、箱入りのティッシュペーパーを収容して、所望の場所に固定するティッシュカバーに関する。
【背景技術】
【０００２】
箱入りのティッシュペーパー（ボックスティッシュ）をティッシュカバーに収容することが行われている。ボックスティッシュをユーザーの嗜好に応じたカバーで包装して、美観を向上させるためである。
【０００３】
また、所望の場所（例えば、自動車の車内）に固定できるティッシュカバーが、種々、提案されている。例えば、特許文献１には、車内の取付面に脱着可能に取り付ける粘着体を配備したティッシュカバーが、特許文献２には、車内の起毛内装布に対して脱着可能に係合する鉤状係合部材を配備したティッシュカバーが、それぞれ開示されている。また、特許文献３には、ティッシュボックスの底面または側面に、多数のフックを備えた布製テープからなる面状ファスナを設けることが記載されている。
【先行技術文献】
【特許文献】
【０００４】
【特許文献１】登録実用新案第３０４６６５５号公報
【特許文献２】登録実用新案第３０３７５２３号公報
【特許文献３】登録実用新案第３０６３１７２号公報
【考案の概要】
【考案が解決しようとする課題】
【０００５】
しかしながら、特許文献１には粘着体の具体例について開示されていない。また、出願人の知る範囲では、脱着可能で、ティッシュカバーを十分に（不用意に脱落することがないように）固定する粘着体は存在しない。そのため、特許文献１に記載の発明の実用性には疑問がある。
【０００６】
また、特許文献２及び３記載の発明は、要するに、面ファスナを自動車の内装材に係合させるものであり、内装材が面ファスナと係合する性質を備えていることを前提としている。したがって、特許文献２及び３記載のティッシュカバーを取付られるのは、そのような内装材を備える自動車に限られるという問題がある。仮に、内装材が面ファスナと係合する性質を備えていたとしても、面ファスナの脱着を繰り返せば内装材を痛めてしまうという問題がある。
【０００７】
本考案は、以上のような背景に鑑みて成されたものであり、所望の場所に脱着可能に固定できるティッシュカバーを提供することを目的とする。
【課題を解決するための手段】
【０００８】
上記目的を達成するため、本考案のティッシュカバーは、ティッシュボックスを収容する本体と、所望の場所に固定される固定片を備えるとともに、前記本体と前記固定片のそれぞれに、互いに対となる面ファスナを備えて、前記本体と前記固定片が互いに結合・分離自在に構成される。
【０００９】
また、前記固定片の固定対象物と当接する面に粘着材を備えるようにしてもよい。
【００１０】
前記粘着材は、両面粘着テープであってもよい。
【考案の効果】
【００１１】
本考案によれば、本体と固定片を互い結合・分離自在に構成しているので、所望の場所に固定された固定片に本体を脱着できる。そのため、固定対象物の素材や性状を問わずに、ティッシュカバーを脱着することができる。
【図面の簡単な説明】
【００１２】
【図１】本考案に係るティッシュカバーの基本的な構成の一例を示す斜視図である。
【図２】ティッシュカバーの本体の素材を展開した状態を示す展開図である。
【図３】固定片の詳細な構成を示す平面図であり、（ａ）は固定片の表面を、（ｂ）は固定片の裏面をそれぞれ示す。
【図４】ティッシュカバーの使用状態を示す斜視図である。
【図５】ティッシュカバーの変形例を示す斜視図である。
【考案を実施するための形態】
【００１３】
以下、本考案を実施するための最良の形態を、図面を参照しながら説明する。
【００１４】
図１は、本考案に係るティッシュカバー１の基本的な構成の一例を示す斜視図である。図１から明らかなように、ティッシュカバー１は、本体２と固定片３で構成される。本体２は、図示しないティッシュボックスを収容する布製のカバーであり、上面にスリット４を備え、スリット４を通して前記ティッシュボックス内のティッシュペーパーを取り出すことができる。なお、図１では見えないが、本体２の下面には面ファスナを備える。また、図示を省略しているが、固定片３の上面にも面ファスナを備えていて、固定片３の面ファスナは本体２の面ファスナと対をなすので、本体２を固定片３に自在に脱着できる。また、固定片３の下面には、図示しない両面テープが貼り付けられていて、固定片３を所望の対象物に固定（貼付）することができる。面ファスナと両面テープについては、以下に詳述する。
【００１５】
図２は、本体２の素材を展開した状態を示す展開図である。図２に示すように、展開図の中心には、スリット４を有する上面部５があって、上面部５の周囲には、長手方向側面部６，７と短手方向側面部１０，１１が接続されている。長手方向側面部６，７には、底面部８，９が、それぞれ接続されている。短手方向側面部１０，１１には、フラップ部１２，１３が、それぞれ接続されている。
【００１６】
底面部８の表面には、面ファスナ（Ｌ）１４が縫い付けられている。底面部９の表面には、帯状の面ファスナ（Ｌ）１５が、３本縫い付けられ、底面部９の裏面には、面ファスナ（Ｈ）１６が縫い付けられている。なお一般に、面ファスナは、ループ状の起毛を有する面片とフック状の起毛を有する面片の対で構成されるが、本明細書では、ループ状の起毛を有する面片を面ファスナ（Ｌ）と呼び、フック状の起毛を有する面片を面ファスナ（Ｈ）と呼ぶことにする。
【００１７】
図２に示した素材は、まず、縁５ａ，５ｂ，５ｃ，５ｄに沿って山折りして、長手方向側面部６，７及び短手方向側面部１０，１１を、上面部５に対して、それぞれ直角に折り曲げる。そして、長手方向側面部６，７及び短手方向側面部１０，１１のそれぞれ隣り合う縁同士を、つまり、縁６ｂと縁１０ｂ、縁１０ｃと縁７ｃ、縁７ｂと縁１１ｂ、縁１１ｃと縁６ｃをそれぞれ縫い合わせて、底面が開放された箱状に形成する。そして、その開放された底面から、図示しないティッシュボックスを挿入する。さらに、縁１０ａ，１１ａに沿って山折りして、フラップ部１２，１３を、短手方向側面部１０，１１に対して、それぞれ直角に折り曲げる。つぎに、縁６ａに沿って山折りして、底面部８を、長手方向側面部６に対して直角に折り曲げる。最後に、縁７ａに沿って山折りして、底面部９を、長手方向側面部７に対して直角に折り曲げる。そうすると、底面部８と底面部９が上下に重なり、面ファスナ（Ｌ）１４が面ファスナ（Ｈ）１６に貼り付けられて、本体２の底面が閉じられて、ティッシュボックスが本体２に保持される。
【００１８】
図３は、固定片３の詳細な構成を示す平面図であり、（ａ）は固定片３の表面を、（ｂ）は固定片３の裏面を、それぞれ示す。図３（ａ）に示すように、固定片３の表面、つまり本体２と接する面には、面ファスナ（Ｈ）１７を備える。また、固定片３の裏面には、図３（ｂ）に示すように、２条の両面テープ１８が貼り付けられている。両面テープ１８はテープ状の素材の両面（表面と裏面）に粘着層を備える接着テープであり、一方の粘着層は固定片３の裏面に接して、両面テープ１８を固定片３に接着固定する。図示は省略したが、未使用の固定片３の両面テープ１８は剥離シートでカバーされ、粘着層の乾燥及び固化が防止される。該剥離シートは使用直前に剥がされることは言うまでもない。
【００１９】
固定片３は両面テープ１８を備えるので、図４に示すように、任意の固定対象１９に接着固定することができる。また、固定片３の上に本体２を置くと、本体２（底面部９）の面ファスナ（Ｌ）１５が固定片３の面ファスナ（Ｈ）１７に貼り付くので、本体２は固定片３に結合される。
【００２０】
ティッシュカバー１は図５に示すように構成されてもよい。すなわち、本体２に２本の吊り紐２０を備えて、必要に応じて、ティッシュカバー１を吊り下げて使えるようにしても良い。
【００２１】
以上、説明したように、固定片３は両面テープ１８を備えるので、所望の対象に接着固定することができる。また、本体２と固定片３は面ファスナ（Ｌ）１５と面ファスナ（Ｈ）１７の対を備えるので、互いに結合・分離自在である。
【００２２】
なお、上記実施形態は、本考案の具体的な実施態様を例示するものであって、本考案の技術的範囲は上記実施形態に例示されたものには限定されない。本考案は実用新案登録請求の範囲に示された技術的思想の範囲において、自由に、応用、変形、あるいは改良して実施することができる。
【００２３】
例えば、上記実施形態では、本体１の素材として布を例示したが、本体１の素材は布には限定されない、各種の合成素材、天然素材を任意に選択することができる。
【００２４】
図２に示した展開図は例示であって、図２に示された形状には限定されない。各種、任意の形状を選択することができる。また、素材の一部を別部材とすることもできるし、他の部材（例えば、装飾用の部材）を追加することもできる。
【００２５】
また、上記実施形態では、素材を縫い合わせて本体２を形成する例を示したが、縫製以外の方法、例えば接着やホットウェルドで接合されてもよい。また、本体２は平面状の素材から形成されるものには限定されない。合成樹脂を射出成形して立体形状を形成してもよい。
【００２６】
上記実施形態では、底面部８，９を開放してティッシュボックスを出し入れする例を示したが、本体２の形態はこのような物には限定されない。上面部５、長手方向側面部６，７、あるいは短手方向側面部１０，１１を開放してティッシュボックスを出し入れする形態を選ぶこともできる。
【００２７】
また、底面部８，９を互いに結合する手段は、面ファスナ（Ｌ）１４と面ファスナ（Ｈ）１６の組み合わせには限定されない。例えばスナップボタンで両者を結合するようにしてもよい。
【００２８】
また、上記実施形態では、面ファスナ（Ｌ）１５が本体２に縫い付けられる例を示したが、面ファスナ（Ｌ）１５を本体２に固定する手段は、縫製には限定されない。各種の固定手段を任意に選択することができる。例えば、接着やホットウェルドを選択することができる。
【００２９】
また、面ファスナ（Ｈ）１７を固定片３に固定する手段も限定されない。各種の固定手段を任意に選択することができる。面ファスナ（Ｈ）１７は、固定片３に縫い付けられてもよいし、接着やホットウェルドで固定されてもよい。あるいは、面ファスナ（Ｈ）１７自体が固定片３であってもよい。つまり固定片３の表面に直接、フック状の起毛が形成されてもよい。
【００３０】
また、上記実施形態では、固定片３の裏面に両面テープ１８を接着固定する例、つまり両面テープ１８を粘着材とする例を示したが、粘着材は両面テープ１８には限定されない。例えば、固定片３の裏面に直接、粘着剤を塗布して粘着剤層を形成してもよい。また、固定片３は粘着材を備えなくてもよい。この場合、別途準備した接着剤あるいは両面テープを使って固定片３を対象物に接着固定する。
【００３１】
なお、本考案の技術的範囲はサイズによって限定されないことは言うまでもない。つまり、本考案に係るティッシュカバーのサイズは保持対象のティッシュボックスに応じて大小様々に変更できる。
【符号の説明】
【００３２】
１  ティッシュカバー
２  本体
３  固定片
４  スリット
５  上面部
６，７  長手方向側面部
８，９  底面部
１０，１１  短手方向側面部
１２，１２  フラップ部
１４  面ファスナ（Ｌ）
１５  面ファスナ（Ｌ）
１６  面ファスナ（Ｈ）
１７  面ファスナ（Ｈ）
１８  両面テープ
１９  固定対象
２０  吊り紐
【図１】
0003172213.tif 000003
【図２】
0003172213.tif 000004
【図３】
0003172213.tif 000005
【図４】
0003172213.tif 000006
【図５】
0003172213.tif 000007